(57)【要約】【課題】  暗所で表示内容を目視できるだけでなく、設置場所の下方及びその近傍も明るく照明し得る電光表示器を提供する。【解決手段】  光源であるＬＥＤ５-iを発光させ、このＬＥＤ５-iからの光を文字、図形等の表示４ａを側面に付したケース体４の背面から照明して、矢符Ａから目視した場合、表示４ａをくっきりと把握させる。一方、ＬＥＤ５-iからの光は、透明樹脂板３を光路として、下方に直進し、この電光表示器１が設置される下方領域を明るく照明する。【選択図】      図３
0003105156.tif 000002
【実用新案登録請求の範囲】
【請求項１】
光源と、文字、図形等の表示パターンが付された表示部とからなり、前記光源からの光が背面から表示部に与えられることにより、表示部前方から見て、前記文字、図形がよりくっくりと見えるように表示する電光表示器において、
前記光源からの光が前記表示部の背面を外方に向けて表示部の目視方向に直交する方向に通過する光路を設けたことを特徴とする電光表示器。
【請求項２】
前記光路は、透明もしくは半透明の樹脂板で構成されることを特徴とする請求項１記載の表示器。
【請求項３】
前記光路は、前記表示部と外ケース間に形成される空間であることを特徴とする請求項１記載の電光表示器。
【考案の詳細な説明】
【技術分野】
【０００１】
この考案は、例えば非常口、通路案内等を行う場合に使用される電光表示器に関する。
【背景技術】
【０００２】
ホテル、オフィス等において、非常口を標示し、あるいは通路案内には電光表示器が使用される。この種の電光表示器としては、本体ケースの前面に非常口の文字、図形や目的先、矢印等を記載し、その本体ケース内に蛍光灯等の光源を収納し、この蛍光灯を点灯し、夜間、あるいは暗い場所でもその表示文字、図形を良く見れるようにしている（例えば、特許文献１参照）。
【特許文献１】実開平５−７５７８５号公報
【考案の開示】
【考案が解決しようとする課題】
【０００３】
上記した非常口、通路案内用等の電光表示器は、暗い場所で使用されることが多い。電光表示器は、電光、つまり蛍光灯等の光源が点灯されるので、表示された文字、図形等はかなり離れた場所でも良く見える。しかしながら、設置されている場所は遠くからでも目視できるようにするため高所であり、他に光源がない場合は直下には光が及ばず、暗いという問題がある。
【０００４】
この考案は上記問題点に着目してなされたものであって、文字、図形等の表示が目視できることはもちろん、設置場所の下方及びその近傍も明るく照明し得る電光表示器を提供することを目的としている。
【課題を解決するための手段】
【０００５】
この考案の電光表示器は、光源と、文字、図形等の表示パターンが付された表示部とからなり、前記光源からの光が背面から表示部に与えられることにより、表示部前方から見て、前記文字、図形がよりくっくりと見えるように表示する電光表示器において、前記光源からの光が前記表示部の背面を外方に向けて表示部の目視方向に直交する方向に通過する光路を設けたことを特徴とする。
【０００６】
また、この考案の電光表示器において、前記光路は、例えば透明もしくは半透明の樹脂板で構成される。
【０００７】
また、この考案の電光表示器において、前記光路は、例えば前記表示部と外ケース間に形成される空間で構成されても良い。
【考案の効果】
【０００８】
この考案によれば、光源からの光が表示部の背面を外方に向けて表示部の目視方向に直交する方向に通過する光路を設けているので、光源からの光は表示部の背面から文字、図形等を照明して前方からくっきり目視可能とするだけでなく、真下方向も照明するので、電光表示器の設置箇所の下方も明るくすることができる。
【考案を実施するための最良の形態】
【０００９】
以下、実施の形態により、この考案を更に詳細に説明する。図１は、この考案の一実施形態である電光表示器の外観斜視図である。図２は図１の電光表示器を表示部に平行に縦断した概略断面図、図３は図１の同電光表示器を表示部に直行する方向で縦断した断面図である。
【００１０】
この実施形態電光表示器１は、光源部２と、この光源部２の下方に設けられる透明樹脂板３と、この光源部２と透明樹脂板３を収容するケース体４とから構成されている。
【００１１】
光源部２は、複数のＬＥＤ（発光素子）５-1、５-2、……、５-nが実装される回路基板６と、これらの複数のＬＥＤ５-1、５-2、……、５-nを点灯駆動するための回路素子が搭載された回路基板７とを備えている。回路基板７には、ＡＣコード８が接続されており、ＡＣ１００Ｖが外部より供給される。ＡＣコード８の接続に代えて、ＡＣコンセントを備えて１００Ｖプラグを接続するものであっても良い。
【００１２】
透明樹脂板３は、上端にＬＥＤ５-1、５-2、……、５-nの配置方向に、ＬＥＤ５-1、５-2、……、５-nとの間で空間を形成するための長溝３ａが設けられている。
【００１３】
ケース体４は、下方のみ開口を有する透明又は半透明のケース体であり、前方側面に表示用の文字、図形４ａが付されている。図１の例では「非常口」の文字である。この表示用の文字、図形は、透明樹脂板３の表面に付しても良い。
【００１４】
図４は、この実施形態電光表示器の点灯駆動回路を示すブロック図である。ここでは、ＡＣ１００Ｖ電源を供給するためのＡＣコード８と、ＡＣ−ＤＣコンバータ１１と、充電回路１２と、商用電源／電池切替スイッチ１３と、二次電池１４と、動作スイッチ１５と、ＬＥＤ５-1、５-2、……、５-nとを備えている。ＡＣコード８を備える代わりに、１００ＡＣ電源のＡＣプラグを外部より接続するＡＣコンセントを備えても良い。
【００１５】
この実施形態電光表示器において、ＡＣコード８が１００Ｖ商用電源に接続され、切替スイッチ１３が商用電源側（端子ａ側）に投入されていると、ＡＣ１００ＶがＡＣ−ＤＣコンバータ１１で降圧直流化される。ここで動作スイッチ１５がＯＮされると、直流低電圧がＬＥＤ５-1、５-2、……、５-nに印加され、通電する。この通電によりＬＥＤ５-1、５-2、……、５-nを点灯する。点灯用電源として、二次電池１４を使用する場合には、切替スイッチ１３を電池１４（端子ｂ側）に投入する。この場合は、二次電池１４よりＬＥＤ５-1、５-2、……、５-nに駆動電圧が印加され、各ＬＥＤ５-1、５-2、……、５-nが点灯される。ＡＣコード８が１００Ｖ商用電源に接続されている間は、ＡＣ−ＤＣコンバータ１１の低電流電圧により、充電回路１２を経て二次電池１４に充電がなされる。
【００１６】
ＬＥＤ５-1、５-2、……、５-nが点灯すると、透明樹脂板３を介して、表示用の文字、図形４ａを背面から照明することになる。そのため、文字、図形４ａの前方より矢印Ａの方向から目視すると、暗い場所であっても文字、図形４ａが浮き上がる態様でくっきりと表示できる。一方、ＬＥＤ５-1、５-2、……、５-nから発せられた光は、透明樹脂板３の内部を下方に向けて直進し、外方に照射される。そのため、電光表示器１が設置される箇所の真下を明るくすることができる。
【００１７】
図５は、この考案の他の実施形態を示す電光表示器の概略図である。この実施形態では、光源部２の側方に透明樹脂板３を設けている。この透明樹脂板３の前方に表示用の文字、図形３ｂを形成する。この文字、図形３ｂは、図１〜図３に示したように、ケース体４の外表面に付しても良い。しかし、この実施形態では、光源部２の下部には、空間９を設けている。光源部２の光源を点灯した場合、その光源で透明樹脂板３の文字、図形３ａを背面より照明するが、光源部２の下方は空間９なので、光源からの光はこの空間９を下方に直進し、電光表示器１の真下を照明し、明るくする。
【００１８】
なお、上記実施形態においては、光源としてＬＥＤを使用する場合について説明したが、光源として蛍光灯、白熱灯等を使用する場合にも、この考案を適用することができる。また、透明樹脂板３は半透明であっても良い。
【図面の簡単な説明】
【００１９】
【図１】この考案の一実施形態である電光表示器の外観斜視図である。
【図２】同実施形態電光表示器の表示部に平行な面で切断した縦断面図である。
【図３】同実施形態電光表示器の表示部に直交する面で切断した縦断面図である。
【図４】同実施形態電光表示器の点灯駆動回路の構成を示すブロック図である。
【図５】この考案の他の実施形態電光表示器を示す概略図である。
【符号の説明】
【００２０】
１                      電光表示器
２                      光源部
３                      透明樹脂板
３ａ                    長溝
４                      ケース体
４ａ                    文字、図形等表示
５-1、５-2、……、５-n  ＬＥＤ（発光素子）
６、７                  回路基板
８                      ＡＣコード
９                      空間
【図１】
0003105156.tif 000003
【図２】
0003105156.tif 000004
【図３】
0003105156.tif 000005
【図４】
0003105156.tif 000006
【図５】
0003105156.tif 000007